(57)【要約】【課題】複数個の台紙なしラベルロール２４を積み重ねた状態で、そのロール側面に粘着剤層を露出させず、台紙なしラベルロール２４を互いに貼り付きにくくし、複数個の台紙なしラベルロール２４を一緒に包装可能として包装、運送、管理および取扱いなどが容易な台紙なしラベルの包装方法およびそのロールセットを提供すること。【解決手段】ラベル基材の裏面側における左右両端縁部に粘着剤層を形成しない非粘着層を設けることに着目したもので、ラベル基材の裏面側における左右両端縁部に粘着剤層を形成しない非粘着層を設け、非粘着層を左右外側に位置させて台紙なしラベルをロール状に巻き取って台紙なしラベルロール２４を構成し、複数個の台紙なしラベルロール２４をそれぞれのロール側面を重ね合わせるように積み重ねた状態で、包装袋２５に包装する。【選択図】図２
2014051300.tif 000002
【特許請求の範囲】
【請求項１】
帯状のラベル基材と、このラベル基材の裏面側に形成した粘着剤層と、このラベル基材の表面側に形成した透明な剥離剤層と、を有する台紙なしラベルをロール状に巻いて包装する台紙なしラベルの包装方法であって、
前記ラベル基材の前記裏面側における左右両端縁部に前記粘着剤層を形成しない非粘着層を設け、
この非粘着層を左右外側に位置させて前記台紙なしラベルをロール状に巻き取って台紙なしラベルロールを構成し、
複数個の台紙なしラベルロールをそれぞれのロール側面を重ね合わせるように積み重ねた状態で、包装袋に包装することを特徴とする台紙なしラベルの包装方法。
【請求項２】
前記ラベル基材に、その長さ方向に沿って前記粘着剤層の粘着剤を筋状に塗工して筋状粘着剤層を形成するとともに、それぞれの前記粘着剤層の間を前記非粘着層として形成し、
前記非粘着層のほぼ中央部を切断することにより帯状の前記台紙なしラベルを作成するとともに、
この帯状の前記台紙なしラベルをロール状に巻き取って前記台紙なしラベルロールを構成し、複数個の前記台紙なしラベルロールを前記包装袋に包装することを特徴とする請求項１記載の台紙なしラベルの包装方法。
【請求項３】
前記台紙なしラベルの形状に応じて前記粘着剤層の粘着剤を前記ラベル基材に幾何学模様状に塗工して幾何学模様状粘着剤層を形成するとともに、それぞれの幾何学模様状粘着剤層の間を前記非粘着層として形成することにより帯状の前記台紙なしラベルを作成し、
この帯状の前記台紙なしラベルをロール状に巻き取って前記台紙なしラベルロールを構成し、複数個の前記台紙なしラベルロールを前記包装袋に包装することを特徴とする請求項１記載の台紙なしラベルの包装方法。
【請求項４】
帯状のラベル基材と、このラベル基材の裏面側に形成した粘着剤層と、このラベル基材の表面側に形成した透明な剥離剤層と、を有する台紙なしラベルをロール状に巻いて包装する台紙なしラベルのロールセットであって、
前記ラベル基材の前記裏面側における左右両端縁部に前記粘着剤層を形成しない非粘着層を設け、
この非粘着層を左右外側に位置させて前記台紙なしラベルをロール状に巻き取って台紙なしラベルロールを構成し、
複数個の台紙なしラベルロールをそれぞれのロール側面を重ね合わせるように積み重ねた状態で、包装袋に包装してあることを特徴とする台紙なしラベルのロールセット。
【発明の詳細な説明】
【技術分野】
【０００１】
本発明は台紙なしラベルの包装方法およびそのロールセットにかかるもので、とくに剥離紙（台紙）を用いずにロール状に巻く台紙なしラベルの包装方法およびそのロールセットに関するものである。
【背景技術】
【０００２】
従来から、ラベルの粘着剤層の裏面側に仮着する剥離紙（いわゆる台紙）を用いない台紙なしラベルが開発され、使用時には破棄されることになる台紙がないことから省資源材料として期待されている。
図５は、従来からの台紙なしラベル１をロール状に巻いた状態（台紙なしラベルロール１０）の斜視図であって、台紙なしラベル１は、図５中で、その一部を拡大断面で示すように、ラベル基材２と、裏面側の粘着剤層３と、表面側の感熱発色剤層４およびその上層側の透明な剥離剤層５と、を有する。
なお、ラベル基材２の裏面側に位置検出用マーク６をあらかじめ印刷してある。
また、ラベル基材２の表面側に必要に応じて、ラベル使用者のマークや名称その他のデザインなどの固定情報（図示せず）をあらかじめ印刷しておくこともできる。
この台紙なしラベル１は、切断予定線７において所定ピッチで切断することにより単葉のラベル片１Ａとすることができる。
【０００３】
このような構成の台紙なしラベル１は、これを支管８にロール状に巻いて取り扱われ、サーマルプリンター（図示せず）に装填して、印字データに応じて感熱発色剤層４を発色させ、必要な可変情報ないしは管理情報を印字するものであるが、その製造上および取扱い上、以下のような問題がある。
【０００４】
すなわち、図６は、台紙なしラベル１をロール状に巻いて包装する手順を示す概略説明図であって、上述のような層構造に塗工した大巻ロール（図示せず）を台紙なしラベル１の幅に切り分けて、小卷シャフト９に小卷ロールとしての複数個（図示の例では、５個）の台紙なしラベルロール１０を得る。
【０００５】
台紙なしラベルロール１０から小卷シャフト９を抜き取り、その重ね合わせ状態のままで包装しようとすると、台紙なしラベルロール１０におけるロール側面に粘着剤層３が露出しており、互いに隣り合う台紙なしラベルロール１０どうしが粘着剤層３の部分で比較的強く貼り付いてしまうという問題がある。
すなわち、複数個の台紙なしラベルロール１０をそれぞれのロール側面を重ね合わせるように積み重ねた状態で、包装袋に包装すると、実際の使用にあたって、それぞれの台紙なしラベルロール１０の分離が面倒であるという問題がある。
【０００６】
したがって、積み重ねた状態の台紙なしラベルロール１０から個々の台紙なしラベルロール１０を互いに分離し、各個ずつシール装置１１により、透明な合成樹脂製の袋１２にシール包装して、最終製品１３とする必要がある。
【０００７】
すなわち、台紙なしラベルロール１０は、台紙がないぶんだけ省資源的ではあっても、取扱いの便のために最終製品１３として一巻ずつシール包装しなければならず、その包装、運送、管理および取扱いに不便であるという問題がある。
【先行技術文献】
【特許文献】
【０００８】
【特許文献１】特開２００１−２３３３０３号公報
【発明の概要】
【発明が解決しようとする課題】
【０００９】
本発明は以上のような諸問題にかんがみなされたもので、複数個の台紙なしラベルロールをそれぞれのロール側面を重ね合わせるように積み重ねた状態で、包装袋に包装することができる台紙なしラベルの包装方法およびそのロールセットを提供することを課題とする。
【００１０】
また本発明は、それぞれのロール側面が接するように互いに隣り合う台紙なしラベルロールが互いに貼り付きにくくした台紙なしラベルの包装方法およびそのロールセットを提供することを課題とする。
【００１１】
また本発明は、台紙なしラベルロールのロール側面に粘着剤層が露出しないようにした台紙なしラベルの包装方法およびそのロールセットを提供することを課題とする。
【００１２】
また本発明は、複数個の台紙なしラベルロールを一緒に包装可能として包装、運送、管理および取扱いなどが容易な台紙なしラベルの包装方法およびそのロールセットを提供することを課題とする。
【課題を解決するための手段】
【００１３】
すなわち本発明は、ラベル基材の裏面側における左右両端縁部に粘着剤層を形成しない非粘着層を設けることに着目したもので、第一の発明は、帯状のラベル基材と、このラベル基材の裏面側に形成した粘着剤層と、このラベル基材の表面側に形成した透明な剥離剤層と、を有する台紙なしラベルをロール状に巻いて包装する台紙なしラベルの包装方法であって、上記ラベル基材の上記裏面側における左右両端縁部に上記粘着剤層を形成しない非粘着層を設け、この非粘着層を左右外側に位置させて上記台紙なしラベルをロール状に巻き取って台紙なしラベルロールを構成し、複数個の台紙なしラベルロールをそれぞれのロール側面を重ね合わせるように積み重ねた状態で、包装袋に包装することを特徴とする台紙なしラベルの包装方法である。
【００１４】
第二の発明は、帯状のラベル基材と、このラベル基材の裏面側に形成した粘着剤層と、このラベル基材の表面側に形成した透明な剥離剤層と、を有する台紙なしラベルをロール状に巻いて包装する台紙なしラベルのロールセットであって、上記ラベル基材の上記裏面側における左右両端縁部に上記粘着剤層を形成しない非粘着層を設け、この非粘着層を左右外側に位置させて上記台紙なしラベルをロール状に巻き取って台紙なしラベルロールを構成し、複数個の台紙なしラベルロールをそれぞれのロール側面を重ね合わせるように積み重ねた状態で、包装袋に包装してあることを特徴とする台紙なしラベルのロールセットである。
【００１５】
上記ラベル基材に、その長さ方向に沿って上記粘着剤層の粘着剤を筋状に塗工して筋状粘着剤層を形成するとともに、それぞれの上記粘着剤層の間を上記非粘着層として形成し、上記非粘着層のほぼ中央部を切断することにより帯状の上記台紙なしラベルを作成するとともに、この帯状の上記台紙なしラベルをロール状に巻き取って上記台紙なしラベルロールを構成し、複数個の上記台紙なしラベルロールを上記包装袋に包装することができる。
【００１６】
上記台紙なしラベルの形状に応じて上記粘着剤層の粘着剤を上記ラベル基材に幾何学模様状に塗工して幾何学模様状粘着剤層を形成するとともに、それぞれの幾何学模様状粘着剤層の間を上記非粘着層として形成することにより帯状の上記台紙なしラベルを作成し、この帯状の上記台紙なしラベルをロール状に巻き取って上記台紙なしラベルロールを構成し、複数個の上記台紙なしラベルロールを上記包装袋に包装することができる。
【発明の効果】
【００１７】
本発明による台紙なしラベルの包装方法およびそのロールセットにおいては、ラベル基材の裏面側における左右両端縁部に粘着剤層を形成しない非粘着層を設けたので、台紙なしラベルロールのロール側面に粘着剤層が露出することがなく、重ね合わせた複数個の台紙なしラベルロールどうしが貼り付いてしまうことを回避可能である。
【００１８】
とくに第一の発明の台紙なしラベルの包装方法によれば、複数個の台紙なしラベルロールをそれぞれのロール側面を重ね合わせるように積み重ねた状態で、包装袋に包装するようにしたので、複数個の台紙なしラベルロールを単一の包装袋に容れて一緒に取り扱うことができる。
【００１９】
とくに第二の発明の台紙なしラベルのロールセットによれば、複数個の台紙なしラベルロールをセットにして単一の包装袋に包装しているので、包装、運送、管理および取扱いなどに便利である。
【図面の簡単な説明】
【００２０】
【図１】本発明の第１の実施例による台紙なしラベルのロールセット２６（台紙なしラベル１）を製造するにあたり、ラベル基材２の裏面側に粘着剤層３の粘着剤を塗工してスリットする工程を示す説明図である。
【図２】同、ポリエチレン製ないし任意の合成樹脂製の袋などによる透明な包装袋２５に、複数本の台紙なしラベルロール２４を一緒に包装する工程を示す説明図である。
【図３】本発明の第２の実施例による台紙なしラベルのロールセット３４（台紙なしラベル３０）を製造するにあたり、ラベル基材２の裏面側に粘着剤層３の粘着剤を塗工して打ち抜きカス取りする工程を示す説明図である。
【図４】同、ポリエチレン製ないし任意の合成樹脂製の袋などによる透明な包装袋２５に、複数本の台紙なしラベルロール３３を一緒に包装する工程を示す説明図である。
【図５】従来からの台紙なしラベル１をロール状に巻いた状態（台紙なしラベルロール１０）の斜視図である。
【図６】同、台紙なしラベル１をロール状に巻いて包装する手順を示す概略説明図である。
【発明を実施するための形態】
【００２１】
本発明は、ラベル基材の裏面側における左右両端縁部に粘着剤層を形成しない非粘着層を設けたので、包装、運送、管理および取扱いなどが容易な台紙なしラベルの包装方法およびそのロールセットを実現した。
【実施例】
【００２２】
つぎに本発明の第１の実施例による台紙なしラベルのロールセット２６および台紙なしラベルの包装方法を図１および図２にもとづき説明する。ただし、図５および図６と同様の部分には同一符号を付し、その詳述はこれを省略する。
図１は、台紙なしラベル１を製造するにあたり、ラベル基材２の裏面側に粘着剤層３の粘着剤を塗工してスリットする工程を示す説明図である。
表面側の前記感熱発色剤層４および前記剥離剤層５（図５）をすでに形成済みのラベル基材２の裏面側に、その長さ方向に沿って複数本（図示の例では、６本）の粘着剤層３の粘着剤を筋状に塗工して筋状粘着剤層３Ａを形成するとともに、それぞれの粘着剤層３の間を非粘着層２０として残存形成し、スリット部２１において非粘着層２０のほぼ中央部を切断する（切断線２２）ことにより帯状の台紙なしラベル１を複数列（図示の例では、６列）に作成する。
【００２３】
つぎの小巻き部２３において、帯状の台紙なしラベル１を前記小卷シャフト９にそれぞれロール状に巻き取って台紙なしラベルロール２４を構成し、小卷シャフト９に複数個の台紙なしラベルロール２４をまとめて巻き取った構成とする。
この構成は、ラベル基材２の裏面側における左右両端縁部２Ａに粘着剤層３を形成しない非粘着層２０（たとえば、幅１〜４ｍｍ程度）を設け、この非粘着層２０を左右外側に位置させて台紙なしラベル１をロール状に巻き取って台紙なしラベルロール２４を構成したもので、それぞれの台紙なしラベルロール２４のロール側面には粘着剤層３が露出していないものである。
【００２４】
図２は、ポリエチレン製ないし任意の合成樹脂製の袋などによる透明な包装袋２５に、複数本の台紙なしラベルロール２４を一緒に包装する工程を示す説明図であって、小卷シャフト９から一度に抜き取った複数個（図示の例では、６個）の台紙なしラベルロール２４をそれぞれのロール側面を重ね合わせるように積み重ねた状態で、包装袋２５に包装して、台紙なしラベル１のロールセット２６とすることができる。
【００２５】
すなわち、台紙なしラベル１のロールセット２６は、複数個の台紙なしラベルロール２４をそれぞれのロール側面を重ね合わせるように積み重ねた状態でも包装袋２５内で台紙なしラベルロール２４が互いに貼り付き合うことがなく、台紙なしラベル１を任意の複数本の台紙なしラベルロール２４として一緒に包装し、運搬、管理および取扱いに便利である。
【００２６】
つぎに、本発明の第２の実施例による台紙なしラベルのロールセット３４および台紙なしラベルの包装方法を図３および図４にもとづき説明する。
図３は、台紙なしラベル３０を製造するにあたり、ラベル基材２の裏面側に粘着剤層３の粘着剤を塗工して打ち抜きカス取りする工程を示す説明図である。
台紙なしラベル３０の形状（図示の例では、円形状）に応じて、円形状のラベル基材２（図３中、仮想線で表している）より相対的に小さな幾何学模様状（ほぼ円形状の模様を矩形状の接続部でつないだパターンの形状）に粘着剤層の粘着剤３を塗工（いわゆるパターン塗工）することにより、幾何学模様状粘着剤層３Ｂを形成する。なお、粘着剤層３の粘着剤を幾何学模様状に塗工するにあたっては、たとえば糊ロール上において幾何学模様形状とした凹版に粘着剤を転写し、糊ロールの回転にともなってこの粘着剤をラベル基材２上に転写すればよく、この凹版を任意の形状に形成することにより、任意の形状の異形ラベルに対応することができる。
上記円形状のラベル基材２と、それぞれの幾何学模様状粘着剤層３Ｂとの間を非粘着層２０として残存形成することにより、帯状の台紙なしラベル３０の原形を複数列（図示の例では、４列）に作成する。
【００２７】
打抜きカス取り部３１において、非粘着層２０より外側に位置する不要なラベル基材２の領域（カス取り領域２Ｂ）を打ち抜くとともに、小卷シャフト９と同様のシャフト（図示せず）にこれを巻き取ってカス取り除去することにより、帯状の台紙なしラベル３０を複数列（図示の例では、４列）に作成する。
【００２８】
つぎの小巻き部３２において、帯状の台紙なしラベル３０を前記小卷シャフト９にそれぞれロール状に巻き取って台紙なしラベルロール３３を構成し、小卷シャフト９に複数個の台紙なしラベルロール３３をまとめて巻き取った構成とする。
この構成は、ラベル基材２の裏面側における左右両端縁部２Ａに粘着剤層３を形成しない非粘着層２０を設け、この非粘着層２０を左右外側に位置させて台紙なしラベル３０をロール状に巻き取って台紙なしラベルロール３３を構成したもので、台紙なしラベルロール３３のロール側面には粘着剤層３が露出していないものである。
【００２９】
図４は、ポリエチレン製ないし任意の合成樹脂製の袋などによる透明な包装袋２５に、複数本の台紙なしラベルロール３３を一緒に包装する工程を示す説明図であって、複数個（図示の例では、４個）の台紙なしラベルロール３３をそれぞれのロール側面を重ね合わせるように積み重ねた状態で、包装袋２５に包装し、台紙なしラベル３０のロールセット３４とすることができる。
この帯状の台紙なしラベル３０をロール状に巻き取って台紙なしラベルロール３３を構成し、複数個の台紙なしラベルロール３３を包装袋２５に包装する。
【００３０】
すなわち、台紙なしラベル３０のロールセット３４は、複数個の台紙なしラベルロール３３をそれぞれのロール側面を重ね合わせるように積み重ねた状態でも包装袋２５内で台紙なしラベルロール２４が互いに貼り付き合うことがなく、円形状その他任意の異形状を呈する台紙なしラベル３０を複数本の台紙なしラベルロール３３として一緒に包装し、運搬、管理および取扱いに便利である。
【符号の説明】
【００３１】
１  台紙なしラベル（図５）
１Ａ  単葉のラベル片
２  ラベル基材
２Ａ  ラベル基材２の左右両端縁部（図１、図３）
２Ｂ  ラベル基材２のカス取り領域（図３）
３  粘着剤層
３Ａ  筋状粘着剤層（図１）
３Ｂ  幾何学模様状粘着剤層（図３）
４  感熱発色剤層
５  剥離剤層
６  位置検出用マーク
７  切断予定線
８  支管
９  小卷シャフト
１０  台紙なしラベルロール
１１  シール装置
１２  合成樹脂製の袋
１３  最終製品
２０  非粘着層（図１、図３）
２１  スリット部
２２  切断線
２３  小卷き部
２４  台紙なしラベルロール
２５  包装袋
２６  台紙なしラベル１のロールセット（第１の実施例、図２）
３０  台紙なしラベル（図３）
３１  打抜きカス取り部
３２  小卷き部
３３  台紙なしラベルロール
３４  台紙なしラベル３０のロールセット（第２の実施例、図４）
【図１】
2014051300.tif 000003
【図２】
2014051300.tif 000004
【図３】
2014051300.tif 000005
【図４】
2014051300.tif 000006
【図５】
2014051300.tif 000007
【図６】
2014051300.tif 000008